(57)【特許請求の範囲】
【請求項１】
電気配線を連結または分岐可能とする端子の間の各絶縁隔壁上部に設けられた収容溝内に文字板がその長手方向に収容された両側に端板がそれぞれ配置されて該文字板の長手方向端面が該端板に当接して文字板抜け止め保持部となっている配線装置であって、
外力により該端板が変形自在に構成されており、該端板の変形により該収容溝に該文字板が着脱可能なように該文字板抜け止め保持部を移動可能とする構成であり、
該端板は、その上面に沿った横方向を長手方向としてスリットが形成され、該スリットの幅方向に該上面を押圧することにより、該文字板の端面が前記文字板抜け止め保持部として当接する端板部分が変形移動して抜け止め機能が解除されるようになっている配線装置。
【請求項２】
電気配線を連結または分岐可能とする端子の間の各絶縁隔壁上部に設けられた収容溝内に文字板がその長手方向に収容された両側に端板がそれぞれ配置されて該文字板の長手方向端面が該端板に当接して文字板抜け止め保持部となっている配線装置であって、
外力により該端板が変形自在に構成されており、該端板の変形により該収容溝に該文字板が着脱可能なように該文字板抜け止め保持部を移動可能とする構成であり、
該端板は、その上面に沿った横方向を長手方向としてスリットが形成され、該スリットの幅方向に該上面を引っ張り上げることにより、該文字板の端面が前記文字板抜け止め保持部として当接する端板部分が変形移動して抜け止め機能が解除されるようになっている配線装置。
【請求項３】
電気配線を連結または分岐可能とする端子の間の各絶縁隔壁上部に設けられた収容溝内に文字板がその長手方向に収容された両側に端板がそれぞれ配置されて該文字板の長手方向端面が該端板に当接して文字板抜け止め保持部となっている配線装置であって、
外力により該端板が変形自在に構成されており、該端板の変形により該収容溝に該文字板が着脱可能なように該文字板抜け止め保持部を移動可能とする構成であり、
該端板は、その上面に沿った横方向およびその両側面に沿った縦方向に連なった門型形状としてスリットが形成され、外力により該上面を横方向にずらすことにより、該文字板の端面が前記文字板抜け止め保持部として当接する端板部分が変形移動して抜け止め機能が解除されるようになっている配線装置。
【請求項４】
電気配線を連結または分岐可能とする端子の間の各絶縁隔壁上部に設けられた収容溝内に文字板がその長手方向に収容された両側に端板がそれぞれ配置されて該文字板の長手方向端面が該端板に当接して文字板抜け止め保持部となっている配線装置であって、
外力により該端板が変形自在に構成されており、該端板の変形により該収容溝に該文字板が着脱可能なように該文字板抜け止め保持部を移動可能とする構成であり、
該端板は、外力により該端板の上部をその厚さ方向外側に倒すことにより、前記文字板の端面が前記文字板抜け止め保持部として当接する端板部分が変形移動して抜け止め機能が解除されるようになっており、該端板は、その上面に沿った横方向およびその両側面に沿った縦方向に連なった門型形状としてスリットが形成されている配線装置。
【請求項５】
前記端板の変形は、前記文字板抜け止め保持部を前後、左右または上下に撓ませる変形である請求項１〜４のいずれかに記載の配線装置。
【請求項６】
前記端子を保持すると共に、隣接する端子間の絶縁を取るための絶縁隔壁を持つユニットブロックを有し、該ユニットブロックの複数がレールに通されてセットされ、複数のユニットとして連結されて、その両端側を前記端板で挟み込んだ状態で該レールに嵌め込まれた金具により固定されている請求項１〜４のいずれかに記載の配線装置。
【請求項７】
前記端子を保持すると共に、隣接する端子間の絶縁を取るための絶縁隔壁を持つ複数のユニットブロックが一体物として形成されており、その両端側を前記端板で挟み込んだ状態でレールに通されて金具により固定されている請求項１〜４のいずれかに記載の配線装置。
【発明の詳細な説明】
【技術分野】
【０００１】
本発明は、例えば原子力発電所、火力発電所および変電所などの配電盤、制御盤および監視盤などに用いられ、ねじを締結して端子を介して配線を連結または分岐可能とする端子台などの配線中継・分岐装置である配線装置に関する。
【背景技術】
【０００２】
上述した従来の配線中継・分岐装置としての電子・電気器具の配線用ねじ端子台には、端子の信号名などを確認できるように、樹脂製の短冊状板などに信号名を記載した記号板を使用している。従来の記号板の収容構造は、端子間絶縁隔壁上部に設けられた収容溝に収容する構造となっており、その記号板は文字板ともよばれ、その脱着構造が特許文献１に提案されている。
【０００３】
図１１は、特許文献１に開示されている従来の端子台への文字板の着脱を示す斜視図であり、図１２は、特許文献１に開示されている従来の他の端子台への文字板の着脱を示す斜視図である。
【０００４】
図１１に示すように、従来の端子台１０１への文字板１０２の着脱は、端子台１０１に所定間隔だけ隔てて起立された絶縁隔壁１０３の上部の収容溝１０４およびその端板１０５の四角状の挿通孔１０６から文字板１０２を長手方向から挿入したり引き抜いたりしていた。なお、符号１０７はねじ付き端子である。
【０００５】
また、他の端子台における文字板の装着事例として、図１２に示すように、絶縁隔壁２０３のみに収容溝２０４が刻設されている端子台２０１の場合は、端板２０５の上端部側から収容溝２０４内に文字板２０２を長手方向に挿入したり、収容溝２０４内の文字板２０２の端部を工具にて持ち上げて、端板２０５の上端部を超えて引き抜いたりしていた。
【０００６】
端子台１０１の場合、文字板１０２を十分な間隔Ｌを設けずに配置する場合、即ち、文字板１０２の長手方向の長さが短い場合に、上記のように端板１０５の四角状の挿通孔１０６に文字板１０２を通して多少曲げて着脱することから、文字板１０２は変形し難く、文字板１０２の着脱が困難となり、その都度、端子台１０１の取り付けを取り外す必要がある。
【０００７】
また、端子台２０１の場合、文字板２０２を十分な間隔Ｌを設けずに配置する場合、即ち、文字板２０２の長手方向の長さが短い場合に、文字板２０２は変形し難く、上記のように端板２０５の上端部側から収容溝２０４内に文字板２０２を長手方向に挿入したり、収容溝２０４内の文字板２０２の端部を工具にて持ち上げて、端板２０５の上端部を超えて引き抜いたりすることが困難となり、その都度、端子台２０１の取り付けを取り外す必要がある。この場合、端板２０５の上端部を超えて文字板２０２を無理に取り外そうとすると、絶縁隔壁２０２の収容溝２０４上部の爪状の脱落防止片に文字板２０２が強く当たり、脱落防止片が破損したり、あるいは文字板２０２が傷つく場合がある。
【０００８】
図１３は、特許文献１に開示されている従来の更に他の端子台への文字板の装着を始める状態を示す斜視図であり、図１４（ａ）〜図１４（ｃ）は、図１３の端子台への文字板の装着過程を順次示す端板上部の正面図である。
【０００９】
図１３に示すように、まず、端子台３０１において、左右方向の一方側が深く他方側が浅い収容溝３０４の上方から文字板３０２をその長手方向の一側面側を収容溝３０４にまず挿入する。すると、文字板３０２の一側面側の上面が端板３０５の爪状の脱落防止片３０８および絶縁隔壁３０３の脱落防止片３０８の下面に当たる。この状態が図１４（ａ）の状態である。
【００１０】
この状態で文字板３０２の他側面側を一側面側の方向（幅方向）に向けて押し込むと、文字板３０２の一側面側は端板３０５の脱落防止片３０８に案内されて、端板３０５のスナップフィット突起３０９上に文字板３０２の他側面側の下面が載置されると共に、文字板３０２の他側面側の端面が絶縁隔壁３０３のスッナプフィット突起３０９に当接する。この状態が図１４（ｂ）の状態である。
【００１１】
さらに、文字板３０２の長手方向に渡って、文字板３０２の他側面側を下方へ押し込むとスナップフィット感が生じ、さらに押し込むと文字板３０２は端板３０５の収容溝３０４および絶縁隔壁３０３の収容溝３０４内に収容される。この状態が図１４（ｃ）の状態である。
【特許文献１】実公平８−４６９４号公報
【発明の開示】
【発明が解決しようとする課題】
【００１２】
しかしながら、上記従来の端子台１０１および２０１では、文字板１０２および２０２の着脱時に、文字板１０２および２０２を撓ます必要があり、ユニット数が少なく全体長が短い端子台の場合は、文字板１０２および２０２も短くなるが、構造上、文字板１０２および２０２を撓ますことが不十分であれば、文字板１０２および２０２の端子台１０１および２０１からの着脱が困難になる。
【００１３】
また、上記従来の端子台３０１では、ユニット数が多く全体長が長い端子台の場合には、文字板３０２もその長さが長くなって、文字板３０２を収容溝３０４内にその長手方向に順次嵌め込むのが手間であり困難である。さらに、長い文字板３０２を収容溝３０４内から取り外すのはさらに困難である。
【００１４】
さらに、上記従来の構成としては説明していないが、後述する実施形態で採用しているユニットであって、同一形状の抱き合わせタイプのユニットの場合には、文字板の収容溝がユニット幅方向の両側面側の端面位置にあって、ここに挿入された文字板はその端部が収容溝内にあることから、工具で端部を浮かして取り出すことが困難である。
【００１５】
本発明は、上記従来の問題を解決するもので、ユニット数が少なく全体長が短い端子台の場合であっても、ユニット数が多く全体長が長い端子台の場合であっても、さらに抱き合わせタイプのユニットを用いた端子台の場合であっても、文字板が簡単に脱落せずかつ、文字板や収容溝を傷めず容易に挿入したり取り外したりすることができる端子台などの配線装置を提供することを目的とする。
【課題を解決するための手段】
【００１６】
本発明の配線装置は、電気配線を連結または分岐可能とする端子の間の各絶縁隔壁上部に設けられた収容溝内に文字板がその長手方向に収容された両側に端板がそれぞれ配置されて該文字板の長手方向端面が該端板に当接して文字板抜け止め保持部となっている配線装置であって、外力により該端板が変形自在に構成されており、該端板の変形により該収容溝に該文字板が着脱可能なように該文字板抜け止め保持部を移動可能とする構成であり、そのことにより上記目的が達成される。
【００１７】
また、好ましくは、本発明の配線装置における端板の変形は、前記文字板抜け止め保持部を前後、左右または上下に撓ませる変形である。
【００１８】
さらに、好ましくは、本発明の配線装置における端板は、その上面に沿った横方向を長手方向としてスリットが形成され、該スリットの幅方向に該上面を押圧することにより、該文字板の端面が前記文字板抜け止め保持部として当接する端板部分が変形移動して抜け止め機能が解除されるようになっている。
【００１９】
さらに、好ましくは、本発明の配線装置における端板は、その上面に沿った横方向を長手方向としてスリットが形成され、該スリットの幅方向に該上面を引っ張り上げることにより、該文字板の端面が前記文字板抜け止め保持部として当接する端板部分が変形移動して抜け止め機能が解除されるようになっている。
【００２０】
さらに、好ましくは、本発明の配線装置における端板は、その上面に沿った横方向およびその両側面に沿った縦方向に連なった門型形状としてスリットが形成され、外力により該上面を横方向にずらすことにより、該文字板の端面が前記文字板抜け止め保持部として当接する端板部分が変形移動して抜け止め機能が解除されるようになっている。
【００２１】
さらに、好ましくは、本発明の配線装置における端板は、外力により該端板の上部をその厚さ方向外側に倒すことにより、前記文字板の端面が前記文字板抜け止め保持部として当接する端板部分が変形移動して抜け止め機能が解除されるようになっている。
【００２２】
さらに、好ましくは、本発明の配線装置における端板は、その上面に沿った横方向およびその両側面に沿った縦方向に連なった門型形状としてスリットが形成されている。
【００２３】
さらに、好ましくは、本発明の配線装置における端板は、外力により該端板の上部をその厚さ方向外側に倒すことが可能な弾力性のある樹脂製で所定厚さに構成されている。
【００２４】
さらに、好ましくは、本発明の配線装置において、前記端子を保持すると共に、隣接する端子間の絶縁を取るための絶縁隔壁を持つユニットブロックを有し、該ユニットブロックの複数がレールに通されてセットされ、複数のユニットとして連結されて、その両端側を前記端板で挟み込んだ状態で該レールに嵌め込まれた金具により固定されている。
【００２５】
さらに、好ましくは、本発明の配線装置において、前記端子を保持すると共に、隣接する端子間の絶縁を取るための絶縁隔壁を持つ複数のユニットブロックが一体物として形成されており、その両端側を前記端板で挟み込んだ状態でレールに通されて金具により固定されている。
【００２６】
上記構成により、以下、本発明の作用を説明する。
【００２７】
本発明においては、外力により端板が変形自在に構成されており、この端板の変形により文字板の収容溝に文字板が着脱可能なように、文字板の端面が抜け止めとして当接する端板部分が移動するように構成されている。このため、ユニット数が少なく全体長が短い端子台であっても、ユニット数が多く全体長が長い端子台であっても、さらに、抱き合わせタイプのユニットを用いた端子台であっても、両側に端板が配置されて文字板の端面が端板に当接して抜け止めとなっている端子台などの配線装置であれば、通常時は文字板が簡単に脱落せず、外力を加えて端板を変形させるだけで端板側から、文字板や収容溝を傷めず、文字板を容易に挿入したり取り外したりすることが可能となる。
【発明の効果】
【００２８】
以上により、本発明によれば、外力による端板の変形により、文字板の端面が抜け止めとして当接する端板部分が移動して抜け止めが解除されるように構成されているため、ユニット数が少なく全体長が短い端子台の場合であっても、ユニット数が多く全体長が長い端子台の場合であっても、さらに抱き合わせタイプのユニットを用いた端子台の場合であっても、両側に端板が配置されて文字板の端面が端板に当接して抜け止めとなっている端子台などの配線装置であれば、外力を加えて端板を変形させるだけで端板側から、文字板や収容溝を傷めず、文字板を容易に挿入したり取り外したりすることができる。
【発明を実施するための最良の形態】
【００２９】
以下に、本発明の配線装置の実施形態１〜４を端子台に適用した場合について図面を参照しながら詳細に説明する。
【００３０】
（実施形態１）
図１は、本発明の実施形態１に係る端子台の要部構成例を示す斜視図である。
【００３１】
図１において、本実施形態１の端子台１０は、１ユニット単位として、配線連結用の端子１１と、この端子１１を保持すると共に、隣接する端子１１間の絶縁を取るための絶縁隔壁１２を持つ抱き合わせ構造のユニットブロック１３とを有し、これらが複数セット（ここでは４セット）、レール１４に通されて複数のユニットとして順次前後に連結されて、その両端側を、レール１４に通された端板としての樹脂製のエンドプレート１５で挟み込んで金具１６によりエンドプレート１５が緩まないように固定されている。
【００３２】
また、文字板としてのマークバンド１７は、ユニットブロック１３毎に所定間隔だけ隔てて起立された絶縁隔壁１２の上部に設けられた収容溝１８内に長手方向に挿入されている。収容溝１８の構造は、収容溝１８の上部両側から爪部１８ａが延設されて爪部１８ａ間が開放され、爪部１８ａ内はマークバンド１７が収容可能な幅に構成されている。この両爪部１８ａによってマークバンド１７が外側に脱落しないように構成されている。また、マークバンド１７の長手方向の両端面側はそれぞれ、その長手方向への抜け止めとしてエンドプレート１５に当接する部分が存在するように構成されている。
【００３３】
外力によりエンドプレート１５が変形自在に構成されており、エンドプレート１５の変形により収容溝１８にマークバンド１７が長手方向の一端側から着脱可能なように、マークバンド１７の端面が抜け止めとして当接するエンドプレート部分が変形移動可能とするように構成されている。即ち、エンドプレート１５は、図２（ａ）に示すように上面１５ａに沿った横方向に所定幅のスリット１５ｂが形成されている。図２（ｂ）および図３に示すように、上面１５ａの中央部分Ａをスリット１５ｂの幅方向（縦方向）に押圧することにより、その上面１５ａを押し下げて、収容溝１８内にマークバンド１７をその長手方向に挿入自在、または、収容溝１８内からマークバンド１７をその長手方向に抜き取り自在にすることができる。
【００３４】
このように、エンドプレート１５は、その上面１５ａに沿った横方向を長手方向として所定幅のスリット１５ｂが形成され、このスリット１５ｂの幅方向に上面１５ａを押圧することにより、マークバンド１７の端面が抜け止めとして当接するエンドプレート部分（図２（ａ）でマークバンド１７を示す斜線部分に対応したエンドプレート部分）が移動して図２（ｂ）のように抜け止めが解除されるようになっている。
【００３５】
（実施形態２）
上記実施形態１では、エンドプレート１５の上面１５ａを押して撓ませ、上面１５ａをマークバンド１７の端面全体が見える位置まで下げて、収容溝１８内のマークバンド１７をその長手方向に挿入または抜き取り自在に構成したが、本実施形態２では、これとは逆に、エンドプレートの上面中央部を引っ張って、スリットの上側内面をマークバンド１７の端面全体が見える位置まで上げて広げ、収容溝内のマークバンドをその長手方向に挿入または抜き取り自在に構成する場合について説明する。
【００３６】
図４は、本発明の実施形態２に係る端子台の要部構成例を示す斜視図である。
【００３７】
図４において、本実施形態２の端子台２０は、１ユニット単位として、配線連結用の端子２１と、この端子２１を保持すると共に、隣接する端子２１間の絶縁を取るための絶縁隔壁２２を持つ抱き合わせ構造のユニットブロック２３とを有し、これらが複数セット（ここでは４セット）、レール２４に通されて複数のユニットとして順次前後に連結され、その両端側を、レール２４に通された端板としての樹脂製のエンドプレート２５で挟み込んで金具２６によりエンドプレート２５が緩まないように固定されている。
【００３８】
また、文字板としてのマークバンド２７は、ユニットブロック２３毎に所定間隔だけ隔てて起立された絶縁隔壁２２の上中央部に設けられた収容溝２８に挿入されている。収容溝２８の構造は、収容溝２８の上部両側から爪部２８ａが延設されて爪部２８ａ間が外部に開放されており、爪部２８ａ内にはマークバンド２７が収容可能な幅に構成されている。この両爪部２８ａによってマークバンド２７が外側に脱落しないように構成されている。また、マークバンド２７の両端面側はそれぞれ、その長手方向への抜け止め用としてエンドプレート２５に当接するように構成されている。
【００３９】
外力によりエンドプレート２５が変形自在に構成されており、エンドプレート２５の変形により収容溝２８にマークバンド２７が長手方向の一端側から着脱可能なように、マークバンド２７の端面が抜け止めとして当接するエンドプレート部分が変形移動可能とするように構成されている。即ち、エンドプレート２５は、図５（ａ）に示すように上面２５ａに沿った横方向に所定幅のスリット２５ｂが形成されている。図５（ｂ）に示すように、上面２５ａの中央部分２５ｃをスリット２５ｂの幅方向（縦方向；上方向）に引っ張ることにより、その上面２５ａをマークバンド２７の端面全体が見える程度の位置まで引っ張り上げて、収容溝２８内にマークバンド２７をその長手方向に挿入自在、または、収容溝２８内からマークバンド２７をその長手方向に抜き取り自在にすることができる。
【００４０】
このように、エンドプレート２５は、その上面２５ａに沿った横方向を長手方向として所定幅のスリット２５ｂが形成され、このスリット２５ｂの幅方向に上面２５ａを引っ張り上げることにより、マークバンド２７の端面が抜け止めとして当接するエンドプレート部分（図５（ａ）でマークバンド２７を示す斜線部分に対応したエンドプレート部分）が移動して図５（ｂ）のように抜け止めが解除されるようになっている。
【００４１】
（実施形態３）
上記実施形態１では、エンドプレート１５の上面１５ａを押して撓ませ、上面１５ａをマークバンド１７の端面全体が見える程度の位置まで下げて、収容溝１８内のマークバンド１７をその長手方向に挿入または抜き取り自在に構成したが、本実施形態３では、エンドプレートの上面中央部を横方向にスライドさせて、スリット内の上側内面下に突出した突部とマークバンド端面とを横方向にずらせることにより、収容溝内のマークバンドをその長手方向に挿入または抜き取り自在に構成する場合について説明する。
【００４２】
図６は、本発明の実施形態３に係る端子台の要部構成例を示す斜視図である。
【００４３】
図６において、本実施形態３の端子台３０は、１ユニット単位として、配線連結用の端子３１と、この端子３１を保持すると共に、隣接する端子３１間の絶縁を取るための絶縁隔壁３２を持つ抱き合わせ構造のユニットブロック３３とを有し、これらが複数セット（ここでは４セット）、レール３４に通されて複数のユニットとして順次前後に連結され、その両端側を、レール３４に通された端板としてのエンドプレート３５で挟み込んで金具３６によりエンドプレート３５が緩まないように固定されている。
【００４４】
また、文字板としてのマークバンド３７は、ユニットブロック３３毎に所定間隔だけ隔てて起立された絶縁隔壁３２の上中央部に設けられた収容溝３８に挿入されている。収容溝３８の構造は、収容溝３８の上部両側から爪部３８ａが延設されて爪部３８ａ間が外側に開放されており、爪部３８ａ内にはマークバンド３７が収容可能な幅に構成されている。この両爪部３８ａによってマークバンド３７が外側に脱落しないように構成されている。また、マークバンド３７の両端面側はそれぞれ、その長手方向への抜け止め用としてエンドプレート３５に当接するように構成されている。
【００４５】
横方向の外力によりエンドプレート３５が変形自在に構成されており、エンドプレート３５の変形により収容溝３８にマークバンド３７が長手方向の一端側から着脱可能なように、マークバンド３７の端面が抜け止めとして当接するエンドプレート部分が変形移動可能とするように構成されている。即ち、エンドプレート３５には、図７（ａ）に示すように上面３５ａに沿った横方向および、両側面３５ｅに沿った縦方向に連なった門型形状の所定幅のスリット３５ｂが形成されている。図７（ｂ）に示すように、上面３５ａの中央部分３５ｃを摘んで、スリット３５ｂの横長手方向にスライドさせることにより、その上面３５ａを横方向にずらせて、スリット３５ｂ内の上側内面下に突出した突部３５ｄとマークバンド３７の端面とを横方向にずらせることにより、収容溝３８内にマークバンド３７をその長手方向に挿入自在、または、収容溝３８内からマークバンド３７をその長手方向に抜き取り自在にすることができる。
【００４６】
このように、エンドプレート３５は、その上面３５ａに沿った横方向および両側面３５ｅに沿った縦方向に連なった門型形状として所定幅のスリット３５ｂが形成され、エンドプレート３５の上側面を押圧することにより、門型形状のスリット３５ｂを変形させて、その上面３５ａを横方向にずらすことにより、マークバンド３７の端面が抜け止めとして当接するエンドプレート部分（図７（ａ）でマークバンド３７を示す斜線部分に対応したエンドプレートの突部３５ｄ）が変形移動して図７（ｂ）のように抜け止めが解除されるようになっている。
【００４７】
（実施形態４）
上記実施形態１では、エンドプレート１５の上面１５ａを押して撓ませ、上面１５ａをマークバンド１７の端面全体を見える程度の位置まで下げて、収容溝１８内のマークバンド１７をその長手方向に挿入または抜き取り自在に構成したが、本実施形態４では、エンドプレートの上面位置をエンドプレート１５の厚さ方向外側に倒して、マークバンド端面に対応したエンドプレートの上面をマークバンドの端面全体が見える程度の位置まで下げて、収容溝内のマークバンドをその長手方向に挿入または抜き取り自在に構成する場合について説明する。
【００４８】
図８は、本発明の実施形態４に係る端子台の要部構成例を示す斜視図である。
【００４９】
図８において、本実施形態４の端子台４０は、１ユニット単位として、配線連結用の端子４１と、この端子４１を保持すると共に、隣接する端子４１間の絶縁を取るための絶縁隔壁４２を持つ抱き合わせ構造のユニットブロック４３とを有し、これらが複数セット（ここでは４セット）、レール４４に通されて複数のユニットとして順次前後に連結され、その両端側を、レール４４に通された端板としての樹脂製のエンドプレート４５で挟み込んで金具４６によりエンドプレート４５が緩まないように固定されている。
【００５０】
また、文字板としてのマークバンド４７は、ユニットブロック４３毎に所定間隔だけ隔てて起立された絶縁隔壁４２の上中央部に設けられた収容溝４８内に挿入されている。収容溝４８の構造は、収容溝４８の上部両側から爪部４８ａが延設されて爪部４８ａ間が外側に開放されており、爪部４８ａ内にはマークバンド４７が収容可能な幅に構成されている。この両爪部４８ａによってマークバンド４７が外側に脱落しないように構成されている。また、マークバンド４７の両端面側はそれぞれ、その長手方向への抜け止め用としてエンドプレート４５に当接するように構成されている。
【００５１】
横方向の外力によりエンドプレート４５が変形自在に構成されており、エンドプレート４５の変形により収容溝４８にマークバンド４７が長手方向の一端側から着脱可能なように、マークバンド４７の端面が抜け止めとして当接するエンドプレート部分が変形移動可能とするように構成されている。即ち、エンドプレート４５には、図９（ａ）に示すように上面４５ａに沿った横方向および、両側面４５ｅに沿った縦方向に連なった所定幅で門型形状のスリット４５ｂが形成されている。図９（ｂ）に示すように、上面４５ａを摘んで、スリット４５ｂをその厚さ方向外側に倒すことにより、その中央凹部４５ｃを下側にマークバンド４７の端面全体が見える程度の位置まで移動させて、収容溝４８内にマークバンド４７をその長手方向に挿入自在、または、収容溝４８内からマークバンド４７をその長手方向に抜き取り自在にすることができる。
【００５２】
このように、エンドプレート４５は、その上面４５ａに沿った横方向および両側面４５ｅに沿った縦方向に連なった門型形状として所定幅のスリット４５ｂが形成され、エンドプレート４５をその厚さ方向外側に倒すことにより、門型形状のスリット４５ｂを外側に曲げて変形させ、これにより、マークバンド４７の端面が抜け止めとして当接するエンドプレート部分（図９（ａ）でマークバンド４７を示す斜線部分に対応したエンドプレート部分）が変形移動して図９（ｂ）のように抜け止めが解除されるようになっている。
【００５３】
なお、上記実施形態４では、エンドプレート４５の上面位置をエンドプレート４５の厚さ方向外側に倒して、マークバンド端面に対応したエンドプレート４５の上面部をマークバンド４７の端面全体が見える程度の位置まで下げて、収容溝４８内のマークバンド４７をその長手方向に挿入または抜き取り自在に構成する場合であって、エンドプレート４５の厚さ方向外側に倒し安くするために門型のスリット４５ｂを形成したが、これに限らず、図１０に示すように、エンドプレート５５の厚さ方向外側に倒し安くするために、材質的に弾力性のある樹脂材料を用いるかまたは、エンドプレート５５の上部で厚さが薄くなるように構成してもよい。また、エンドプレート５５は、外力によりエンドプレート５５の上部をその厚さ方向外側に倒すこと可能な弾力性のある樹脂製で所定厚さに構成されていてもよい。このエンドプレート５５を厚さ方向外側に倒すことにより、収容溝５８内にマークバンド５７を、中央凹部５５ｃを超えてその長手方向に挿入自在、または、収容溝５８内からマークバンド５７を、中央凹部５５ｃを超えてその長手方向に抜き取り自在にすることができる。
【００５４】
以上により、本実施形態１〜４によれば、外力によるエンドプレートのマークバンド保持部分を前後、左右または上下に撓ませて変形させることにより、マークバンドの端面が抜け止めとして当接するエンドプレートのマークバンド保持部分が移動して抜け止めが解除されるように構成されているため、従来のように、ユニット数が少なく全体長が短い端子台であっても、ユニット数が多く全体長が長い端子台であっても、さらに抱き合わせタイプのユニットを複数用いた端子台であっても、両側にエンドプレートが配置されてマークバンドの端面がエンドプレートに当接して抜け止めとなっている端子台などの配線装置であれば、外力を加えて端板を変形させるだけでエンドプレート側から、マークバンドや収容溝を傷めずにマークバンドを容易に挿入または取り外すことができる。
【００５５】
なお、本実施形態１〜４では、電気配線連結または分岐用の端子を保持すると共に、隣接する端子間の絶縁を取るための絶縁隔壁を持つユニットブロックを有し、このユニットブロックの複数がレールに通されてセットされ、複数のユニットとして連結されて、その両端側をエンドプレートで挟み込んだ状態でレールに嵌め込まれた金具により固定されている場合について説明したが、これに限らず、その端子を保持すると共に、隣接する端子間の絶縁を取るための絶縁隔壁を持つ複数のユニットブロックが一体物として形成されており、その両端側をエンドプレートで挟み込んだ状態でレールに通されて金具により固定されている場合についても、本発明の実施形態１〜４を適用することができる。
【００５６】
以上のように、本発明の好ましい実施形態１〜４を用いて本発明を例示してきたが、本発明は、この実施形態１〜４に限定して解釈されるべきものではない。本発明は、特許請求の範囲によってのみその範囲が解釈されるべきであることが理解される。当業者は、本発明の具体的な好ましい実施形態１〜４の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５７】
本発明は、例えば原子力発電所、火力発電所および変電所などの配電盤、制御盤および監視盤などに用いられ、ねじを締結して端子を介して配線を連結可能とする端子台などの配線中継・分岐装置である配線装置の分野において、外力による端板の変形により、文字板の端面が抜け止めとして当接する端板部分が移動して抜け止めが解除されるように構成されているため、ユニット数が少なく全体長が短い端子台の場合であっても、ユニット数が多く全体長が長い端子台の場合であっても、さらに抱き合わせタイプのユニットを用いた端子台の場合であっても、両側に端板が配置されて文字板の端面が端板に当接して抜け止めとなっている端子台などの配線装置であれば、外力を加えて端板を変形させるだけで端板側から、マークバンドや収容溝を傷めずにマークバンドを容易に挿入または取り外すことができる。
【図面の簡単な説明】
【００５８】
【図１】本発明の実施形態１に係る端子台の要部構成例を示す斜視図である。
【図２】（ａ）は図１のエンドプレートの平面図、（ｂ）は図１のエンドプレートに力を加えて変形させた状態を示す平面図である。
【図３】図１の端子台においてエンドプレートを変形させてマークバンドを取り出す状態を示す斜視図である。
【図４】本発明の実施形態２に係る端子台の要部構成例を示す斜視図である。
【図５】（ａ）は図４のエンドプレートの平面図、（ｂ）は図４のエンドプレートに力を加えて変形させた状態を示す平面図である。
【図６】本発明の実施形態３に係る端子台の要部構成例を示す斜視図である。
【図７】（ａ）は図６のエンドプレートの平面図、（ｂ）は図６のエンドプレートに力を加えて変形させた状態を示す平面図である。
【図８】本発明の実施形態４に係る端子台の要部構成例を示す斜視図である。
【図９】（ａ）は図８のエンドプレートの平面図、（ｂ）は図８のエンドプレートに力を加えて変形させた状態を示す側面図である。
【図１０】本発明の実施形態４に係る端子台の他の要部構成例を示す斜視図である。
【図１１】特許文献１に開示されている従来の端子台への文字板の着脱を示す斜視図である。
【図１２】特許文献１に開示されている従来の他の端子台への文字板の着脱を示す斜視図である。
【図１３】特許文献１に開示されている従来の更に他の端子台への文字板の装着を始める状態を示す斜視図である。
【図１４】（ａ）〜（ｃ）は図１３の端子台への文字板の装着過程を順次示す端板上部の正面図である。
【符号の説明】
【００５９】
１０、２０、３０、４０  端子台
１１、２１、３１、４１  端子
１２、２２、３２、４２  絶縁隔壁
１３、２３、３３、４３  ユニットブロック
１４、２４、３４、４４  レール
１５、２５、３５、４５、５５  エンドプレート
１５ａ、２５ａ、３５ａ、４５ａ  上面
１５ｂ、２５ｂ、３５ｂ、４５ｂ  スリット
２５ｃ、３５ｃ  中央部分（中央突部）
４５ｃ、５５ｃ  中央凹部
３５ｄ  突部
３５ｅ  側面
１６、２６、３６、４６  金具
１７、２７、３７、４７、５７  マークバンド
１８、２８、３８、４８、５８  収容溝
１８ａ、２８ａ、３８ａ、４８ａ  爪部
【図１】
0004966185.tif 000002
【図２】
0004966185.tif 000003
【図３】
0004966185.tif 000004
【図４】
0004966185.tif 000005
【図５】
0004966185.tif 000006
【図６】
0004966185.tif 000007
【図７】
0004966185.tif 000008
【図８】
0004966185.tif 000009
【図９】
0004966185.tif 000010
【図１０】
0004966185.tif 000011
【図１１】
0004966185.tif 000012
【図１２】
0004966185.tif 000013
【図１３】
0004966185.tif 000014
【図１４】
0004966185.tif 000015